(57)【要約】【課題】          紙箱の内側壁に簡単に形成する切離目より内側壁を容易に切り開いて紙箱を平坦化させ、不用となった紙箱の回収や保管作業などリサイクル、廃棄での至便化を図る。【解決手段】      内側壁及び外側壁を有する二重構造の折畳み式側壁を備えた紙箱において、内側壁を切り開く切離目を対向する１組の内側壁に形成させる。【選択図】        図４
2005212812.tif 000002
【特許請求の範囲】
【請求項１】
内側壁及び外側壁を有する二重構造の折畳み式側壁を備えた紙箱において、内側壁を切り開く切離目を対向する１組の内側壁に形成させたことを特徴とする紙箱。
【請求項２】
正方形或いは長方形状の底板の対向する２組の外縁に内側壁及び外側壁を折曲げ自在に連結させ、底板に接合させる接合片を折曲げ自在に外側壁に連結させ、対向する一方の１組の接合片両端部と底板間に他方の１組の接合片両端部を挿入させて紙箱の立設保持を図ると共に、１組の内側壁と接合片に切離目を形成させたことを特徴とする請求項１記載の紙箱。
【発明の詳細な説明】
【技術分野】
【０００１】
本発明は食品や化粧品など各種商品を収納する包装用の紙箱に関する。  
【背景技術】
【０００２】
贈答用包装箱などにおいて、使用後に廃棄する際には、全体を扁平に折畳んで資源ごみとして回収しリサイクル、廃棄処理するようにした技術がある。（例えば特許文献１参照）
【０００３】
【特許文献１】登録実用新案第３０４６６４３号公報
【発明の開示】
【発明が解決しようとする課題】
【０００４】
しかし乍ら、上述の如き紙箱にあっては、各側板に紙箱の解体を可能とさせる切込み線など設ける構造の複雑さがあるばかりでなく、解体作業にも手数を要して簡単には行えないという不都合があった。
【課題を解決するための手段】
【０００５】
而して本発明は、内側壁及び外側壁を有する二重構造の折畳み式側壁を備えた紙箱において、内側壁を切り開く切離目を対向する１組の内側壁に形成させたものである。
【０００６】
また、正方形或いは長方形状の底板の対向する２組の外縁に内側壁及び外側壁を折曲げ自在に連結させ、底板に接合させる接合片を折曲げ自在に外側壁に連結させ、対向する一方の１組の接合片両端部と底板間に他方の１組の接合片両端部を挿入させて紙箱の立設保持を図ると共に、１組の内側壁と接合片に切離目を形成させたものである。
【発明の効果】
【０００７】
本発明は、内側壁及び外側壁を有する二重構造の折畳み式側壁を備えた紙箱において、内側壁を切り開く切離目を対向する１組の内側壁に形成させたことによって、紙箱の内側壁に簡単に形成する切離目より内側壁を容易に切り開いて紙箱を平坦化させ、不用となった紙箱の回収や保管作業などリサイクル、廃棄での至便化を図るものである。
【０００８】
また、正方形或いは長方形状の底板の対向する２組の外縁に内側壁及び外側壁を折曲げ自在に連結させ、底板に接合させる接合片を折曲げ自在に外側壁に連結させ、対向する一方の１組の接合片両端部と底板間に他方の１組の接合片両端部を挿入させて紙箱の立設保持を図ると共に、１組の内側壁と接合片に切離目を形成させたことによって、紙箱の側壁に形成する最少数の切離目で紙箱の確実な解体を可能とさせて、紙箱の加工性及び解体性を向上させるものである。
【発明を実施するための最良の形態】
【０００９】
以下、本発明の実施例を図面に基づいて詳述する。図１は発明に係る贈答用などの紙箱の斜視説明図、図２は同分解説明図であり、紙箱１は上部或いは下部開放形の上箱２・中箱３・下箱４とを備え、上箱２及び下箱４を略同一の大きさ及び形状に形成すると共に、中箱３を下箱４に内挿させ、中箱３の上半分を下箱４より突出させて、中箱３からの突出部３ａに上箱２を上方より嵌合させて分解自在な長方立法形の密閉紙箱１を形成させるように構成している。
【００１０】
図３に示す如く、上箱２及び下箱４は１枚の紙箱用台紙５からなり、台紙５は長方形の底板６の前後及び左右側縁に折り目７・８及び９・１０を介し折り曲げ自在に連結する前後及び左右外側壁１１・１２及び１３・１４と、これら外側壁１１・１２及び１３・１４の前後及び左右側縁に前後及び左右縁板１５・１６及び１７・１８を介し折り曲げ自在に連結する前後及び左右内側壁１９・２０及び２１・２２と、これら内側壁１９・２０及び２１・２２の前後及び左右側縁に折り目２３・２４及び２５・２６を介し折り曲げ自在に連結する前後及び左右接合片２７・２８及び２９・３０と、左右内側壁２１・２２の前後側縁に折り目３１・３２及び３３・３４を介し折り曲げ自在に連結させて係合切り目３５をそれぞれ有する左右側壁連結用係合片３６・３７及び３８・３９と、前後外側壁１１・１２の左右側縁と左右外側壁１３・１４の前後側縁に各折り目４０・４１及び４２・４３を介し折り曲げ自在に連結させて中央に折り目或いはミシン目４４を有する正３角形状の折込片４５・４６・４７・４８と、左右内側壁２１・２２の前後側縁部と左右接合片２９・３０の前後側縁部に連なる状態に形成する切離目４９・５０とを形成している。
【００１１】
そして図４乃至図６に示す如く、各外側縁１１〜１４を折り目７〜１０を介し内側に略９０度折り曲げて直立状に立設させると共に、各内側壁１９〜２２を縁板１５〜１８を介し外側縁１１〜１４の内側に沿う状態に折り曲げて、内側壁１９〜２２と外側壁１１〜１４とによる２重側壁５１を形成させ、各接合片２７〜３０を底板６上面に接合させるもので、左右の内外側壁１３・１４及び２１・２２の立設時に各係合片３６・３７及び３８・３９を略９０度内側に折り曲げて、前側の左右係合片３６・３８及び後側の左右係合片３７・３９を切り目３５で相互に係合連結させ、立設させる外側壁１１・１２と係合片３６〜３９間に各ミシン目４４などを介し折込片４５〜４８を折込ませると共に、各係合片３６~３９の内側を内側壁１９・２０で覆って隠すように組立て、先に底板６上に接合させる左右接合片２９・３０の前後端部と底板６間に、前後接合片２７・２８の左右端部を挿入させて上箱２及び下箱４の組立を完了させる。
【００１２】
なお、図７に示す如く、前記上箱２及び下箱４の底板６と各接合片２７〜３０間に台紙５の外側面と同一色の敷板６ａを差し入れることのよって、箱２・４の外内面を同一色とさせた意匠感に秀れた箱２・４を提供することができる。
【００１３】
また図８乃至図１０に示す如く、前記中箱３も１枚の紙箱用台紙５２からなり、台紙５２は長方形の底板５３の前後及び左右側縁に折り目５４・５５及び５６・５７を介し折り曲げ自在に連結する前後及び左右内側壁５８・５９及び６０・６１と、これら内側壁５８・５９及び６０・６１の前後及び左右側縁に折り目６２・６３及び６４・６５を介し折り曲げ自在に連結する前後及び左右外側壁６６・６７及び６８・６９と、左右外側壁６８・６９の前後側縁に折り目７０・７１及び７２・７３を介し折り曲げ自在に連結する差込片７４・７５及び７６・７７とを形成させている。
【００１４】
そして図９に示す如く、左右内側壁６０・６１に対し折り目６４・６５より外側壁６８・６９を略１８０度折り畳んで、両面接着テープ７８或いは接着剤などによって左右内側壁６０・６１裏面に外側壁６８・６９を接着させ、図１０に示す如く各内側壁５８〜６１を略９０度内側に折り曲げて立設させるとき、前後内側壁５８・５９の外側に重なる状態に折り曲げる前後外側壁６６・６７と内側壁５８・５９間に、各差込片７４〜７７を折曲げ挿入させて、中箱３の組立を完了させ、この状態の中箱３を下箱４に嵌め込むことによって組立姿勢を保持させる。
【００１５】
そしてこの紙箱１の使用後の解体時にあって、中箱３にあっては下箱４より上方に中箱３を取出し、図９に示す如く元の状態に各内側壁５８〜６１及び外側壁６６・６７を展開させることで容易に平坦状とさせると共に、上箱２及び下箱４にあっては、図７に示す如く前記切離目４９・５０より左右内側壁２１・２２及び接合片２９・３０を外側に切り開くことによって、各係合片３６・３８及び３７・３９の係合を解除させる必要がなく各係合片３６・３８及び３７・３９を分離させ前後内側壁１１・１２及び外側壁１９・２０を容易に展開させて平坦状とさせ、リサイクル、廃棄に至便とさせることができる。
【００１６】
上記実施例から明らかなように、内側壁１１〜１４及び外側壁１９〜２２を有する二重構造の折畳み式側壁５１を備えた紙箱において、内側壁２１・２２を切り開く切離目を対向する１組の内側壁２１・２２に形成させたもので、紙箱１の内側壁２１・２２に簡単に形成する切離目４９・５０より内側壁２１・２２を容易に切り開いて紙箱１を平坦化させ、不用となった紙箱の回収や保管作業などリサイクル、廃棄での至便化を図ることができる。
【００１７】
また、正方形或いは長方形状の底板の６対向する２組の外縁に内側壁１１〜１４及び外側壁１９〜２２を折曲げ自在に連結させ、底板６に接合させる接合片２７〜３０を折曲げ自在に外側壁１９〜２２に連結させ、対向する一方の１組の接合片２９・３０両端部と底板６間に他方の１組の接合片２７・２８両端部を挿入させて紙箱である上箱２及び下箱４の立設保持を図ると共に、１組の内側壁２１・２２と接合片２９・３０に切離目４９・５０を形成させたもので、紙箱１の側壁５１に形成する最少数の切離目４９・５０で紙箱１の確実な解体を容易に可能とさせて、紙箱１の加工性及び解体性を向上させることができる。
【００１８】
なお、前述実施例にあっては外側壁１１〜１４と内側壁１９〜２２間に左右縁板１５〜１８巾分の厚みを有する二重側壁構造の上箱２及び下箱４に切離目４９・５０を形成する構成を示したが、図１１に示す如く左右縁板１５〜１８を無くして、外側壁１１〜１４と内側壁１９〜２２とを密着させ、左右内側壁２１・２２の前後側縁部と左右接合片２９・３０の前後側縁部に、連なる状態の切離目４９・５０を形成させる構成としても良く、厚みを有しない二重側壁構造の上箱２及び下箱４においても、前述実施例同様切離目４９・５０より左右内側壁２１・２２及び接合片２９・３０を外側に切り開いて平坦状とさせることができる。
【図面の簡単な説明】
【００１９】
【図１】紙箱の斜視説明図。
【図２】紙箱の分解説明図。
【図３】上箱（下箱）の展開状態を示す平面図。
【図４】上箱（下箱）の斜視説明図。
【図５】上箱（下箱）の平面説明図。
【図６】切り開き状態を示す説明図。
【図７】側壁部の断面説明図。
【図８】中箱の展開状態を示す説明図。
【図９】中箱の半折り畳み状態を示す説明図。
【図１０】中箱の組立状態を示す説明図。
【図１１】上箱（下箱）の変形構造の説明図。
【符号の説明】
【００２０】
１      紙箱
６      底板
１１・１２・１３・１４    内側壁
１９・２０・２１・２２    外側壁
２７・２８・２９・３０    接合片
４９・５０    切離目
５１    側壁
【図１】
2005212812.tif 000003
【図２】
2005212812.tif 000004
【図３】
2005212812.tif 000005
【図４】
2005212812.tif 000006
【図５】
2005212812.tif 000007
【図６】
2005212812.tif 000008
【図７】
2005212812.tif 000009
【図８】
2005212812.tif 000010
【図９】
2005212812.tif 000011
【図１０】
2005212812.tif 000012
【図１１】
2005212812.tif 000013